(57)【要約】【課題】剥がれにくく、十分な幅の加熱発泡材を備える建具を提供すること。【解決手段】框体３０及び框体３０の内側のガラス開口部２９に納められるガラス２５を備える建具１であって、ガラス開口部２９の見込面とガラス２５との間に介在する介在部品２００と、介在部品２００とガラス開口部２９の見込面の間に配置される加熱発泡材９３と、を含む、建具である。加熱発泡材９３の見込方向の幅は、介在部品２００の見込方向の幅と同じかそれよりも大きい。【選択図】図４
2019085832.tif 000002
【特許請求の範囲】
【請求項１】
框体及び前記框体の内側のガラス開口部に納められるガラスを備える建具であって、
前記ガラス開口部の見込面と前記ガラスとの間に介在する介在部品と、
前記介在部品と前記ガラス開口部の見込面の間に配置される加熱発泡材と、を含む、建具。
【請求項２】
前記加熱発泡材の見込方向の幅は、前記介在部品の見込方向の幅と同じかそれよりも大きい、請求項１に記載の建具。
【請求項３】
前記介在部品は、
前記ガラスの室内外方向の移動を規制するガラス外れ止め部材、
前記ガラスを支持するセッティングブロック、及び
前記框体の前記ガラス開口部におけるコーナーに設けられるコーナー金具、の少なくとも１つを含む、請求項１又は２に記載の建具。
【請求項４】
前記加熱発泡材は、前記ガラス開口部の四周に連続して配置される、請求項１〜３のいずれか１項に記載の建具。
【発明の詳細な説明】
【技術分野】
【０００１】
本発明は、ガラスを備える建具に関する。
【背景技術】
【０００２】
従来、樹脂製の框体のガラス開口部にガラスを取り付けた建具が知られている。框体のガラス開口部の見込面とガラスの間には、ガラスが火災時に高熱に曝されて変形し、框体から外れてしまうことを防止するガラス外れ止め部材や、ガラスのがたつきを防止するためのセッティングブロック、框体のコーナーに取り付けたコーナー金具等の各種の介在部品が設けられている。また、加えて、火災時に樹脂製の框体が溶融し、変形した場合に、框体とガラスの間に隙間が空いて火炎や高温空気が貫通することを防止するため、加熱発泡材等が配置されている。
このような建具において、加熱発泡材は、介在部品の上に被せるように取り付けられていることが知られている（例えば、特許文献１参照）。
【先行技術文献】
【特許文献】
【０００３】
【特許文献１】特開２０１６−２３５２９号公報
【発明の概要】
【発明が解決しようとする課題】
【０００４】
しかし、加熱発泡材を各種の介在部品の上に設けると、各種の介在部品の形状が異なっているとともに、介在部品の上面が平らでないという理由もあり、加熱発泡材が剥がれやすいという問題があった。また、加熱発泡材を各種の介在部品に干渉しないようにすることで、加熱発泡材の面積が小さくなり、見込方向に幅が狭くなるという問題があった。
【０００５】
本発明は、剥がれにくく、十分な幅の加熱発泡材を備える建具を提供することを目的とする。
【課題を解決するための手段】
【０００６】
本発明は、框体（例えば、後述の框体３０）及び前記框体の内側のガラス開口部（例えば、後述のガラス開口部２９）に納められるガラス（例えば、後述のガラス２５）を備える建具（例えば、後述の建具１）であって、前記ガラス開口部の見込面と前記ガラスとの間に介在する介在部品（例えば、後述の介在部品２００）と、前記介在部品と前記ガラス開口部の見込面の間に配置される加熱発泡材（例えば、後述の加熱発泡材９３）と、を含む、建具に関する。
【０００７】
前記加熱発泡材の見込方向の幅は、前記介在部品の見込方向の幅と同じかそれよりも大きいことが好ましい。
【０００８】
前記介在部品は、前記ガラスの室内外方向の移動を規制するガラス外れ止め部材（例えば、後述のガラス外れ止め部材４０）、前記ガラスを支持するセッティングブロック（例えば、後述のセッティングブロック２８）、及び前記框体の前記ガラス開口部におけるコーナーに設けられるコーナー金具（例えば、後述の框側コーナー金具６５）、の少なくとも１つを含むことが好ましい。
【０００９】
前記加熱発泡材は、前記ガラス開口部の四周に連続して配置されることが好ましい。
【発明の効果】
【００１０】
本発明によれば、剥がれにくく、十分な幅の加熱発泡材を備える建具を提供することができる。
【図面の簡単な説明】
【００１１】
【図１】本発明の一実施形態に係る建具を室外側から見た様子を示す図である。
【図２】本実施形態の建具の縦断面図である。
【図３】本実施形態の建具の横断面図である。
【図４】本実施形態の障子の斜視図である。
【図５】本実施形態のガラス外れ止め部材の分解斜視図である。
【図６】図２の部分拡大断面図である。
【発明を実施するための形態】
【００１２】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（すなわち、奥行き方向）を意味する。
【００１３】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。建具１は、室外側ハンドル５５及び室内側ハンドル５６（図１では省略）により開閉され、これらの室外側ハンドル５５、室内側ハンドル５６の上下にシリンダー錠６０が配置されている。
【００１４】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１５】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１６】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１７】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１８】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００１９】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２０】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２１】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２２】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２３】
枠体１０の左上及び右上には、コーナー金具としての枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２４】
次に、障子２０の構成について説明する。障子２０は、ガラス２５と、ガラス２５を囲うように構成される框体３０と、を含むように構成される戸体である。
【００２５】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ-Ｅ（Ｌｏｗ Ｅｍｉｓｓｉｖｉｔｙ）ガラスで構成される。
【００２６】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２７】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２８】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００２９】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３０】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３１】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３２】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３３】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３４】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３５】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３６】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３７】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３８】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００３９】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４０】
框体３０の内側（ガラス２５側）の見込面にはガラス外れ止め部材４０及び加熱発泡材９３が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４１】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９３は、帯状の部材であり、ガラス２５の四周を囲うように上框３１、下框３２、吊元側縦框３３及び戸先側縦框３４のそれぞれに配置される。
【００４２】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４３】
また、枠体１０に開閉可能に吊り込まれる障子２０は、上枠１１と上框３１を接続するアーム部材６１によって所定以上開かないように開閉範囲が規制される。
【００４４】
図４は、框体３０のガラス側の見込面を示す框体３０の斜視図であり、ガラス２５は省略して示されている。図４を参照して、框体３０の内側について説明する。
図４に示す通り、框体３０は、上框３１、下框３２、吊元側縦框３３及び戸先側縦框３４が枠組みされた枠の内側にガラス開口部２９を有する。ガラス開口部２９は、室外側ガラス２５ａと室内側ガラス２５ｂを納めることができる見込方向の幅を有している。
【００４５】
本実施形態では、各種の介在部品２００が、ガラス開口部２９の見込面に配置されている。介在部品２００とは、例えば、上述のガラス外れ止め部材４０や框側コーナー金具６５、セッティングブロック２８等を含み、ガラス開口部２９の見込面とガラス２５の間に介在している部品を指す。
【００４６】
また、加熱発泡材９３が、ガラス開口部２９と介在部品２００との間、すなわち框体３０のガラス開口部２９の見込面の上で、上記の介在部品２００の下に配置されている。加熱発泡材９３は、框体３０のガラス開口部２９の四周に沿って連続して配置される。
【００４７】
図４に示すように、吊元側縦框３３の内側の見込面には、３個のガラス外れ止め部材４０が間隔をあけて配置される。同様に戸先側縦框３４の見込面にも３個のガラス外れ止め部材４０が配置される（図示省略）。また、下框３２の内側の見込面には、見付方向の中央にガラス外れ止め部材４０が１個配置され、ガラスを支持する。同様に、上框３１の内側の見込面における見付方向の中央にガラス外れ止め部材４０が１個配置される（図示省略）。
【００４８】
図５は、本実施形態のガラス外れ止めの分解斜視図である。図５に示すように、ガラス外れ止め部材４０は、框体３０に固定される保持金具４１と、保持金具４１の上に配置され、保持金具４１の上に配置される受台部４３と、受台部４３に係合する押さえ片４２と、からなる。本実施形態では、保持金具４１、受台部４３及び押さえ片４２は、何れも金属製（例えば、ステンレス鋼）である。
【００４９】
保持金具４１は、固定部４１ａと、側壁部４１ｂと、スリット部４１ｃを有する。
固定部４１ａは、略長方形の平坦な面を有するとともに、長手方向の一方及び他方に締結孔４１ｄを有する。固定部４１ａは、締結孔４１ｄにネジを挿通して框体３０のガラス開口部２９の見込面に固定される。
側壁部４１ｂは、保持金具４１の長手方向に沿う一対の側縁の内の一方から起立する板面である。側壁部４１ｂは、保持金具４１がガラス開口部２９に取り付けられた状態で、固定部４１ａの室内側の端部から起立する。側壁部４１ｂは、取り付けた状態でガラス２５の面に対向する。
スリット部４１ｃは、固定部４１ａと側壁部４１ｂとの接続部（固定部４１ａと側壁部４１ｂが交差する角部）に形成され、保持金具４１の長手方向の中央寄りに配置される。スリット部４１ｃは、後述する押さえ片４２の係合部４２ｂ及び足部４２ｃに対向する部分が切り欠かれて貫通する細長い貫通孔である。
【００５０】
受台部４３は、台部４３ａと、取付部４３ｂとを有する。受台部４３は、平面視で略コ字状の板状の部材であり、保持金具４１の上に載せて固定される。
台部４３ａは、略長方形の平坦な面である。台部４３ａは、側面から見ると受台部４３の取り付け面（保持金具４１と接する面）よりも高い位置にあり、受台部４３を保持金具４１に取り付けた状態で、固定部４１ａとの間に隙間Ｓを形成するように配置される。
取付部４３ｂは、台部４３ａの両側から下方に屈曲し、台部４３ａよりも低い位置に延びる平坦な取り付け面である。取付部４３ｂは、ネジの締結孔４３ｃを有し、ネジにより保持金具４１に固定される。
【００５１】
押さえ片４２は、押さえ部４２ａと、係合部４２ｂと、足部４２ｃと、を有する三股の部材である。
押さえ部４２ａは、略長方形の板面であり、取り付けた状態で保持金具４１の側壁部４１ｂとも対向するように起立する（図６参照）。押さえ部４２ａは、ガラス２５の室外側面を押さえる。
係合部４２ｂは、押さえ部４２ａの長手方向の略中央部から、框体３０の見込面に沿う方向に延びる。係合部４２ｂは、平面視で略Ｔ字状であり、押さえ部４２ａを基端として延び、係合部４２ｂの先端部で二股に分かれている。係合部４２ｂは、二股に分かれた先が爪部４２ｄとなって、押さえ部４２ａ側へ戻るように延びるとともに、上方に反って傾斜している。
足部４２ｃは、押さえ部４２ａの長手方向の両端部から係合部４２ｂと平行な方向に延びる細長い面である。足部４２ｃは平面視で係合部４２ｂの両側部に延びる。足部４２ｃの先端部４２ｅは、係合部４２ｂの爪部４２ｄと反対方向に向かって上方に沿って傾斜している。足部４２ｃは、係合部４２ｂと上下方向の高さが異なる。足部４２ｃは、係合部４２ｂよりも低く、固定部４１ａに摺動可能になっており、係合部４２ｂは、足部４２ｃよりも高い位置で、固定部４１ａと接しないように延びている。
【００５２】
押さえ片４２は、係合部４２ｂ及び足部４２ｃを、保持金具４１の固定部４１ａと、受台部４３の台部４３ａとの間に挿入して配置される。
押さえ片４２が固定部４１ａと台部４３ａとの間の隙間Ｓに挿入された状態で、係合部４２ｂの先端部は、スリット部４１ｃ内に位置する（図６参照）。詳細には、係合部４２ｂの先端部は、ガラス２５の室内側の表面よりも、室内側に位置する。
【００５３】
押さえ片４２における係合部４２ｂの爪部４２ｄは、押さえ片４２側に向かって上方に沿って傾斜しているので、押さえ片４２を室外側に引き抜こうとしても、係合部４２ｂが台部４３ａの側縁に係合することで、押さえ片４２が外れないように構成されている。
なお、足部４２ｃの先端部４２ｅは上方に向かって沿って傾斜しており、室外側へ摺動しやすくなっている。
【００５４】
押さえ片４２は、受台部４３に係合した状態でも見込方向で若干の移動が可能となっている。受台部４３と押さえ片４２の係合を解除する場合は、スリット部４１ｃから、係合部４２ｂの爪部４２ｄを、ドライバー等で台部４３ａに引っ掛からないように下方に押し込んだ状態で、押さえ部４２ａ側に向かって移動させる。爪部４２ｄは、ドライバー等で押さえられた状態で台部４３ａの下を通過し、押さえ片４２と受台部４３との係合が解除される。
【００５５】
ガラス外れ止め部材４０は、このように、保持金具４１、受台部４３、押さえ片４２がそれぞれ組み合わされて固定された状態で、押さえ片４２の押さえ部４２ａと、保持金具４１の側壁部４１ｂとがガラス２４の面に対向する方向に延び、ガラス２５の室内外方向の移動を規制する。ガラス外れ止め部材４０は、ガラス２５が火災等で高熱に曝されて変形した際、ガラス２５が框体３０から外れることを防止する。
【００５６】
図４に戻って、框側コーナー金具６５は、框体３０のガラス開口部２９におけるコーナーに設けられている。框側コーナー金具６５は、一枚の金属板を側面視でＬ字型となるように屈曲している。框側コーナー金具６５は、金具の両端にネジで固定するためのネジ孔が形成される略矩形状の矩形部分６５ａが配置され、二つの矩形部分６５ａが、矩形部分６５ａよりも幅狭の帯状部分６５ｂで連結された形状をしている。
【００５７】
セッティングブロック２８は、框体３０内でのガラス２５のがたつきや位置ずれを防止する略直方体状の弾性部材であり、樹脂により構成されている。セッティングブロック２８は、例えば両面テープ等で框体３０側に取り付けられ、ガラス２５を支持する。
【００５８】
本実施形態では、セッティングブロック２８は、戸先側の上部と吊元側の下部とで対角線方向に対向するように上框３１、下框３２、戸先側縦框３４、吊元側縦框３３に１つずつ、計四つ取り付けられている。
図４に示すように、セッティングブロック２８は、吊元側縦框３３の下部の内面に取り付けられ、ガラス２５の側面を支持する。同様に、セッティングブロック２８は、戸先側縦框３４の上部の内面にも取り付けられる（図示省略）。
また、セッティングブロック２８は、下框３２の吊元側の内面に取り付けられ、ガラス２５の下面を支持する。また、セッティングブロック２８は、上框３１の戸先側の内面に取り付けられる（図示省略）。
【００５９】
図６は、図２の部分拡大断面図である。図６に示すように、加熱発泡材９３は、框側コーナー金具６５、ガラス外れ止め部材４０及びセッティングブロック２８の下に設けられている。加熱発泡材９３は、図５に示すように、ガラス２５の厚さ（すなわち、室外側ガラス２５ａの室外側表面と室内側ガラス２５ｂの室内側表面との間の距離Ｇ）よりも大きな幅Ｆを有する。
また、加熱発泡材９３は、セッティングブロック２８の幅Ｂよりも大きな幅を有する。
また、加熱発泡材９３は、ガラス外れ止め部材４０の幅Ｌと略同一の幅を有する。
また、加熱発泡材９３は、框側コーナー金具６５の少なくとも帯状部分６５ｂよりも大きな幅を有する。
このように、加熱発泡材９３の見込方向の幅は、介在部品２００の見込方向の幅と同じかそれよりも大きい。
【００６０】
以上説明した上記実施形態の構成によれば、以下のような効果を奏する。
本実施形態では、框体３０及び框体３０の内側のガラス開口部２９に納められるガラス２５を備える建具１を、ガラス開口部２９の見込面とガラス２５との間に介在する介在部品２００と、介在部品２００とガラス開口部２９の見込面の間に配置される加熱発泡材９３と、を含んで構成した。
加熱発泡材９３を介在部品２００の下に配置するため、加熱発泡材９３が框体３０のガラス側の面にしっかりと接着される。このため、加熱発泡材９３が介在部品２００の上面の凹凸によって不安定になることがなく、框体３０の内側にガラス２５を固定する作業が容易になる。
また、加熱発泡材９３の設置時に、押し縁部材３６に干渉せずに框体３０のガラス２５を配置する溝に配置することができる。これにより、ガラス２５と框体３０との気密性を良好に確保しながら、防火性を向上させることができる。
さらに、加熱発泡材９３をガラス開口部２９の見込面に設け、加熱発泡材９３が高温に曝された際に発泡することで、樹脂製の框体３０自体を保護することとなり、框体３０の溶融や変形を抑制したり、溶融までの時間を長くすることができる。
【００６１】
また、本実施形態では、加熱発泡材９３の見込方向の幅を、介在部品２００の見込方向の幅と同じかそれよりも大きく構成した。これにより、加熱発泡材９３をガラス開口部２９の見込面の幅いっぱいに設けることができるので、介在部品２００とガラスの間の隙間をより確実に塞ぐことができ、防火性が向上する。
【００６２】
また、本実施形態では、介在部品２００を、ガラス２５の室内外方向の移動を規制するガラス外れ止め部材、ガラス２５を支持するセッティングブロック２８、及び框体３０のガラス開口部２９におけるコーナーに設けられる框側コーナー金具６５、の少なくとも１つを含むように構成した。介在部品２００がこれらの部品であり、介在部品２００の下に加熱発泡材９３を配置することで、上記と同様の効果を奏することができる。
【００６３】
また、本実施形態では、加熱発泡材９３を、ガラス開口部２９の四周に連続して配置した。これにより、上記効果を奏する加熱発泡材９３をガラス２５の全周囲に配置させることができるので、防火性がより向上する。
【００６４】
以上、本発明の好ましい実施形態について説明したが、本発明は、上述の実施形態に制限されるものではなく、適宜変更が可能である。
例えば、上記実施形態の建具１は勝手口ドアを例に説明しているが、これに限られない。ドアの場合、設置場所や種類を問わないことは言うまでもなく、ドアのみではなく、窓等であってもよい。
【００６５】
また、上記実施形態で説明した上框３１、下框３２、吊元側縦框３３及び戸先側縦框３４の構成に限られず、框体の構成は適宜変更することができる。例えば、上記実施形態の框体３０は樹脂製であるが、框体（上框、下框、吊元側縦框及び戸先側縦框）の見込方向室内側及び室外側の少なくとも何れか一方側にアルミ形材等の金属製のカバー部材を配置する構成としてもよい。すなわち、樹脂製の框体（上框、下框、吊元側縦框及び戸先側縦框）は、その内部、室内側又は室外側に金属部材を取り付けたものであってよい。なお、樹脂製の枠体も同様に、その内部、室内側又は室外側に金属部材を取り付けたものであってよい。
【符号の説明】
【００６６】
１    建具
２５  ガラス
２８  セッティングブロック
２９  ガラス開口部
３０  框体
４０  ガラス外れ止め部材
６５  コーナー金具
９３  加熱発泡材
２００  介在部品
【図１】
2019085832.tif 000003
【図２】
2019085832.tif 000004
【図３】
2019085832.tif 000005
【図４】
2019085832.tif 000006
【図５】
2019085832.tif 000007
【図６】
2019085832.tif 000008